(57)【特許請求の範囲】
【請求項１】
容器(1)と、開封器(2)と、センサー(3)を有し、
該容器(1)は本体(11)に充填材(12)と加圧気体(13)が充填され、該本体(11)の開口(14)が該本体(11)に溶接した封板(15)で密封されたもので、
該開封器(2)はシリンダ(21)とピストン(22)を有し、該シリンダ(21)は該本体(11)に該封板(15)を覆って着脱自在で、装着状態で通路が確保される充填材の送出路(23)と該送出路(23)に導結された噴出管(24)を備えており、該ピストン(22)は一面に穿針(25)を備え、該穿針(25)を該封板(15)に向けて該シリンダ(21)に摺嵌しており、
該センサー(3)はケース(31)にガス発生剤(32)を密封したもので、導管(33)を介して該シリンダ(21)に、該ピストン(22)の穿針(25)と反対側の面に対して、導通している
ことを特徴とする容器内の充填材を押送用高圧ガスと共に送出する装置。
【請求項２】
該ピストン(22)の他面に該シリンダ(21)の外部から操作桿(26)が当接自在で、該操作桿(26)は該穿針(25)を該封板(15)の開封完了位置へ移動自在となっている請求項１に記載の容器内の充填材を押送用高圧ガスと共に送出する装置。
【請求項３】
容器(1)と、開封器(2)と、センサー(3)を有し、
該容器(1)は本体(11)に充填材(12)と加圧気体(13)が充填され、該本体(11)の開口(14)が該本体(11)に溶接した封板(15)で密封されたもので、
該開封器(2)はシリンダ(21)とピストン(22)を有し、該シリンダ(21)は該本体(11)に該封板(15)を覆って着脱自在で、装着状態で通路が確保される充填材の送出路(23)と該送出路(23)に導結された噴出管(24)を備えており、該ピストン(22)は一面の穿針(25)を該封板(15)に向け、かつ他面から延びた操作桿(26')を該シリンダ(21)の外部へ突出させて該シリンダ(21)に摺嵌しており、
該センサー(3)はケース(31)にガス発生剤(32)を密封したもので、通路(41)とその遮断子(42)を有する作動器(4)に装着され、該通路(41)は導管(5)を介し、一方で該シリンダ(21)の送出路(23)とまた他方で噴射ノズル(6)とそれぞれ導結され、該遮断子(42)が該通路(41)を該センサー(3)の噴射ガスで開放するようになっている
ことを特徴とする容器内の充填材を押送用高圧ガスと共に送出する装置。
【請求項４】
該センサー(3)はスクイブ型(3')で、該ケース(31)の開口(34)が封板(35)の溶接で封止されている請求項１又は３に記載の容器内の充填材を押送用高圧ガスと共に送出する装置。
【請求項５】
該センサー(3)はキャピラリー型(3”)で、該ケース(31)の開口(34)が樹脂メルトシール(35')で封止されている請求項１又は３に記載の容器内の充填材を押送用高圧ガスと共に送出する装置。
【発明の詳細な説明】
【０００１】
【発明の属する技術分野】
本発明は容器内の充填材を押送用高圧ガスと共に送出する装置にかかり、長期間保管してもガス漏れが起こらず、かつ人手によらず、環境温度の変化を利用して充填材を送出する型式のものに関する。
【０００２】
【従来の技術】
炭酸ガスや窒素などが入った高圧ガス容器を手動で開封し、流出するガスを利用するものに消火器がある。消火器の場合、流出ガスの圧力で消火用の充填材を加圧して噴射する加圧式と、消火用の充填材を予めフロンや窒素で加圧しておき、手動で操作して噴射する蓄圧式がある。
自動消火器は温度、煙などをセンサーで検出し、電力を用いて噴射している。
最近、火薬（スクイブ）を用いて弁などを開放し、噴射させるやり方もある。
【０００３】
【発明が解決しようとする課題】
手動操作による加圧式や蓄圧式の場合、消火器が火元の近くに置かれているとこれに近寄れず、噴射できない。また、火災の場合、気が動転しているため、恐怖、慌て、忘れなどが原因となって、同様に噴射できないことがある。
自動の場合は電源を要し、交流の場合、災害発生などで断線や送電停止すると噴射できず、電池の場合、長期信頼性に欠けるので非常用としては不向きである。
また、従来品はどれも消火用の充填材を入れた容器とその継ぎ手がねじ込み式で完全密封でないため、蓄圧式の場合、長期間保存すると、使用時に噴射しない例があった。
本発明は封板を本体に溶接することによって開口を密閉し、長期間保管してもガス漏れが起こらず、開封により消火用の充填材をガス圧で確実に送出でき、しかもその送出を、環境温度変化を利用して、自動的に行える容器内の充填材を押送用高圧ガスと共に送出する装置を提供することを目的とする。
【０００４】
【課題を解決するための手段】
本発明に係る容器内の充填材を押送用高圧ガスと共に送出する装置は、容器と、開封器と、センサーを有している。
該容器は本体に充填材と加圧気体が充填され、該本体の開口が該本体に溶接した封板で密封されたものである。容器が消火器の場合、充填材は粉末や液体等の消火剤で、加圧気体は炭酸ガスや窒素ガス等の非支燃性ガスとなる。
該開封器はシリンダとピストンを有している。該シリンダは該本体に該封板を覆って着脱自在で、装着状態で通路が確保される充填材の送出路と該送出路に導結された噴射管を備えている。該ピストンは一面に穿針を備え、該穿針を該封板に向けて該シリンダに摺嵌している。ガス圧を受けたピストンが移動することによって穿針が封板を開封する。該シリンダは本体に固着される型式でもよいが、着脱式とすると反復使用できる。
そして、該センサーはケースにガス発生剤を密封したもので、導管を介して該シリンダに、該ピストンの穿針と反対側の面に対して、導通している。
【０００５】
ケースとしてはアルミが軽くかつ伝熱性がよいので好ましいが、鋼製その他でもよい。ガス発生剤も適当に選べるが、例えばアミノテトラゾールが好ましい。
【０００６】
該ピストンの他面に該シリンダの外部から操作桿が当接自在で、この操作桿は穿針を封板の開封完了位置へ移動自在となっていてもよい。
この場合、センサーの作動前に人が開封の必要性を認識した場合、不作動の場合、訓練等の場合等、いつでも人為的に封板の開封が行え、ピストンと操作桿は別体なので、組み立て作業がし易い。
【０００７】
本発明にかかる装置は開封器とセンサーを次のように変形することもできる。
開封器において、ピストンは一面の穿針を該封板に向けかつ他面から延びた操作桿を該シリンダの外部へ突出させて該シリンダに摺嵌する。
また、センサーにおいては、これが通路とその遮断子を有する作動器に装着され、該通路は導管を介し、一方で該シリンダの送出路とまた他方で噴射ノズルとそれぞれ導結され、該遮断子が該通路を該センサーの噴射ガスで開放するようにする。
この場合、ピストンと操作桿が一体なので、ピストンが傾いて摺動困難となったりせず、操作桿を操作することによって、いつでも人為的に封板の開封を確実に行える。
【０００８】
該センサーはスクイブ型で、該ケースの開口が封板の溶接で封止されていてもよい。
この場合、小型に纏まるので取扱が容易で、ガス発生剤が湿気たりすることもない。
【０００９】
該センサーはキャピラリー型で、該ケースの開口が樹脂メルトシートで封止されていてもよい。
この場合、狭い場所にも設置することができ、ケースの開封も確実に行われる。
【００１０】
【発明実施の形態】
図１は供用時開封型、図２は事前開封型のそれぞれ開封装置で、同一符号は同一もしくは相応部分を示してある。
１は容器、２は開封器、３はセンサーである。
容器１は本体１１に充填材１２と加圧気体１３が充填され、この本体１１の開口１４がこの本体１１に溶接した封板１５で密封されたものである。この容器１は内部にサイホン管１６が設けられている。
【００１１】
開封器２はシリンダ２１とピストン２２を有している。シリンダ２１は本体１１に封板１５を覆って着脱自在で、装着状態で通路が確保される充填材１２の送出路２３とこの送出路２３に導結された噴射管２４を備えている。ピストン２２は一面に穿針２５を備え、この穿針２５を封板１５に向けてシリンダ２１に摺嵌している。
【００１２】
そして、センサー３はケース３１にガス発生剤３２を密封したもので、導管３３を介してシリンダ２１の送入路２３’に導結され、ピストン２２の穿針２５と反対側の面に対して、導通している。
【００１３】
ピストン２２の他面にシリンダ２１の外部から操作桿２６が当接自在で、この操作桿２６は穿針２５を封板１５の開封完了位置へ移動自在となっている。
こうすると、センサー３の作動前に人が開封の必要性を認識した場合、不作動の場合、訓練等の場合等に、いつでも人為的に封板の開封が行え、ピストン２２と操作桿２６は別体なので、組み立て作業がし易い。
【００１４】
図２の例では、ピストン２２は一面の穿針２５を封板１５に向け且つ他面から延びた操作桿２６’をシリンダ２１の外部へ突出させてシリンダ２１に摺嵌している。また、センサー３は通路４１とその遮断子４２を有する作動器４に装着され、この通路４１は導管５を介し一方でシリンダ２１の送出路２３とまた他方で噴射ノズル６とそれぞれ導結され、遮断子４２が通路４１をセンサー３の噴射ガスで開放するようになっている。作動器４の作動状態はこの遮断子４２に適宜のやり方で連動する表示器４３で表示される。
こうすると、容器１を予め人手で開封しておくので、開封ミスを防げ、時間的な遅れも解消する。
勿論、予め開封しておかなくてもよく、この場合はガス漏れが防止される。
【００１５】
センサー３はスクイブ型３’で、ケース３１の開口３４が封板３５の溶接で封止されている。
こうすると、小型に纏まるので取扱が容易となり、ガス発生剤３２が湿気たり、変質するのを防げる。
【００１６】
センサー３はキャピラリー型３”で、ケース３１の開口３４が樹脂メルトシール３５’で封止されている。
こうすると、狭い場所にも設置でき、ケース３１の開封も確実に行える。
【００１７】
【実施例】
図１の型式を採用し、１Ｌの消火液の入った容器(1)を窒素ガス(13)で８kg/cm２に加圧し、封板(15)で密封した。センサー(3)はスクイブ型(3’)とし、ガス発生剤(32)は、アルミ製ケース(31)に５ＮＡＴＫ（アミノテトラゾール）を１０mg充填し、同様に窒素を封入して封板(35)を溶接した。このセンサー(3)を導管(33)でシリンダ(21)に導結した。また、シリンダ(21)の送出路(23)を噴射管(24)で噴射ノズル(6)に導結した。導管(33)と噴射管(24)の長さをそれぞれ１mとした。この状態でセンサー(3)の部分をバーナーでゆっくり加熱し、２３５℃になったときに噴射ノズル(6)から約１０秒間の噴射を確認した。
【００１８】
センサー(3)を長さ３００ｍｍ（0.1φ）のキャピラリー型(3”)とし、スクイブ型と同様にガス発生剤(32)と窒素を封入し、このセンサー(3)をチューブでシリンダ(21)に導結して前記と同様に加熱した場合もスクイブ型と同様の結果が得られた。キャピラリー型(3”)は曲げても同様で、このことは、昇温箇所の広い面積から検知できる特徴がある。
【００１９】
これによって、従来の消火器と同様の噴射量や噴射距離（１０m）が確認されたわけである、また、噴射ノズルを変えることで多目的の目的に使用できることも確認した。
【００２０】
図２の場合についても、１mの距離での作動試験は同様の性能であった。この場合、作動状態が判断できるように表示器(43)を装着している。
実際にテンプラ油を加熱させ、火災を発生させて実験、確実に作動することが確認された。
【００２１】
また、作動しない場合や、訓練などのために、封板を手動で開封するようにもしてある。
【００２２】
【発明の効果】
本発明によれば、容器とセンサーが乾燥不活性ガス（窒素）でシールされ、封板の溶接で完全密閉されるので、輸送、振動などでの誤作動がなく安全で、長期間保管してもガス漏れが起こらず、充填材やガス発生剤の劣化や老化等が生じることもなく長期間性能維持が可能で、ガス発生剤センサーにより超小型かつフレキシブルに構成でき、あらかじめ危険箇所にきめ細かく設置可能で、場所を取ることもなく、シンプルな構造なので、故障がなく、メンテナンスが容易で、低コストとなり、大型の容器であっても、センサー容量は変わらなく経済的で、電池も電源も必要とせず、開封により消火用の充填材をガス圧で確実に送出でき、しかもその送出を、環境温度変化を利用して、自動的に素早く行うことができ、容器やケースは使用後に穴が開いているので、廃棄時に安全である。
【００２３】
請求項２によれば、センサーの作動前に人が開封の必要性を認識した場合、不作動の場合、訓練等の場合等、いつでも人為的に封板の開封が行え、ピストンと操作桿は別体なので、組み立て作業がし易い。
【００２４】
請求項３によれば、ピストンと操作桿が一体なので、ピストンが傾いて摺動困難となったりせず、操作桿を操作することによって、いつでも人為的に封板の開封を確実に行える。
【００２５】
請求項４によれば、小型に纏まるので取扱が容易で、ガス発生剤が湿気たりすることもない。
【００２６】
請求項５によれば、狭い場所にも設置することができ、ケースの開封も確実に行われる。
【図面の簡単な説明】
【図１】本発明に係る容器内の充填材を押送用高圧ガスと共に送出する装置の具体例を示す一部切断側面図で、センサーとしてキャピラリー型を付記してある。
【図２】本発明に係る容器内の充填材を押送用高圧ガスと共に送出する装置の別の例を示す一部切断側面図である。
【符号の説明】
１      容器
２      開封器
３      センサー
３’    スクイブ型
３”    キャピラリー型
４      作動器
１１    本体
１２    充填材
１３    加圧気体該容器(1)は本体(11)に充填材(12)と (13)が充填され、該本体
１４    開口
１５    封板
２１    シリンダ
２２    ピストン
２３    送出路
２４    噴出管
２５    穿針
２６    操作桿
３１    ケース
３２    ガス発生剤
３３    導管
３４    開口
３５    封板
３５’  樹脂メルトシール
４１    通路
４２    遮断子
【図１】
0004398039.tif 000002
【図２】
0004398039.tif 000003